(57)【要約】【目的】スクレーパローラと、捌き板及びピックアップローラとを有する一次給紙手段と、二次給紙手段とを有する給紙装置において、捌き板での振動音発生を防止する。【構成】捌き板４が取り付けられた磁性体の案内軸13は本体15の案内孔16に挿入される。案内孔内にはコイル20と押圧手段17があり、案内軸と案内孔には高摩擦部材18,19 が対面して設けられる。コイル非通電時、押圧手段が案内軸を案内孔内の一方側に寄せ、高摩擦部材は離間して捌き板は自由に上下動する。二次給紙時、コイル通電により、案内軸がコイルに磁着して高摩擦部材が係合し、案内軸は軸方向に固定され、用紙の後端部がピックアップローラと捌き板の間を通過する際に捌き板は振動せず、振動音が発生しない。【選択図】図２
2008169023.tif 000002
【特許請求の範囲】
【請求項１】
積載された用紙の上面に接触して回動することにより用紙を下流に搬送するスクレーパローラと、前記スクレーパローラの下流側に設けられて上下方向及び用紙の搬送方向を中心とした揺動方向に移動可能とされた捌き板と、前記捌き板と略当接する上方位置に回動可能に配置されて前記捌き板との間で用紙を捌いて搬送するピックアップローラとを有する一次給紙手段と、前記一次給紙手段の下流側に設けられて用紙をさらに下流側に搬送する二次給紙手段とを有する給紙装置において、
用紙が、前記二次給紙手段により搬送されて前記捌き板と前記ピックアップローラの間を通過する際に、前記捌き板の上下方向及び揺動方向の各動作を固定する固定手段を備えたことを特徴とする給紙装置。
【請求項２】
前記給紙装置は、
前記捌き板に取り付けられた磁性体からなる案内軸と、前記案内軸が挿入される案内孔を備えた本体と、前記案内孔から突出した前記案内軸に介装されて前記捌き板と前記本体との間に設けられ前記ピックアップローラに押圧された前記捌き板を反対方向に付勢する付勢手段とを有し、前記案内軸が前記案内孔に出没することで前記捌き板が上下方向に移動するように構成されており、
さらに、前記案内軸の外周面と前記案内孔の内周面の少なくとも一方の一部分に設けられ、他方と接触して係合することにより前記案内軸の移動を制限する高摩擦部材と、
前記本体の前記案内孔の内周面に設けられ、前記高摩擦部材によって前記案内軸の移動が制限されないように前記案内軸を前記案内孔内で所定方向に押す押圧手段と、
前記本体の前記案内孔の内周面に設けられ、通電により前記案内軸を磁着して前記案内軸の外周面と前記案内孔の内周面を前記高摩擦部材により固定することにより前記案内軸の移動を制限するコイルと、
を具備することを特徴とする請求項１記載の給紙装置。
【請求項３】
前記給紙装置は、
前記捌き板に取り付けられた磁性体からなる案内軸と、前記案内軸が挿入される案内孔を備えた本体と、前記案内孔から突出した前記案内軸に介装されて前記捌き板と前記本体との間に設けられ前記ピックアップローラに押圧された前記捌き板を反対方向に付勢する付勢手段とを有し、前記案内軸が前記案内孔に出没することで前記捌き板が上下方向に移動するように構成されており、
さらに、前記本体の前記案内孔の内周面に設けられたコイルと、
前記コイルの内周面に設けられ、前記コイルへの通電により可逆的に変形して内方へ突出することにより前記案内軸の外周面に係合して前記案内軸の移動を制限するアクチュエーターと、
を具備することを特徴とする請求項１記載の給紙装置。
【請求項４】
前記給紙装置は、
揺動軸を介して揺動可能に支持された支持体の上面側に前記捌き板が取り付けられ、前記捌き板が前記支持体とともに前記揺動軸を中心として左右方向に揺動するように構成されており、
さらに、前記支持体に対面して配置され移動により前記支持体に押圧される固定部材と、対面する前記支持体及び前記固定部材の少なくとも一方に設けられた高摩擦部材と、前記固定部材の近傍に設けられ操作時には前記固定部材を前記支持体に押圧して前記固定部材と前記支持体を前記高摩擦部材により係合して前記支持体の前記揺動軸に関する揺動を固定する固定操作部材と、
を具備することを特徴とする請求項１記載の給紙装置。
【請求項５】
前記給紙装置は、
前記捌き板が上面側に取り付けられた支持体と、前記支持体が先端側に揺動可能に取り付けられた磁性体からなる案内軸と、前記案内軸が挿入される案内孔を備えた本体と、前記案内孔から突出した前記案内軸に介装されて前記支持体と前記本体との間に設けられ前記ピックアップローラに押圧された前記捌き板を反対方向に付勢する付勢手段と、前記案内軸の外周面及び前記案内孔の内周面の少なくとも一方に設けられた上下動固定用高摩擦部材と、前記本体の前記案内孔の内周面に設けられ前記上下動固定用高摩擦部材によって前記案内軸の移動が制限されないように前記案内軸を前記案内孔内で所定方向に押す押圧手段と、前記支持体と対面するように前記本体に取り付けられたロック部材と、対面する前記ロック部材と前記支持体の少なくとも一方に設けられた揺動固定用高摩擦部材と、前記本体の前記案内孔の内周面に設けられ通電により前記案内軸を固定位置に磁着させることで前記上下動固定用高摩擦部材により前記案内軸の軸方向の移動を制限するとともに、前記揺動固定用高摩擦部材により前記支持体の揺動を制限するコイルと、
を具備することを特徴とする請求項１記載の給紙装置。
【請求項６】
前記給紙装置は、
前記捌き板が上面側に取り付けられた支持体と、前記支持体が先端側に揺動可能に取り付けられ中央部が磁性体で先端部及び後端部が非磁性体からなる案内軸と、前記案内軸が挿入されるコイルと、前記コイルから突出した前記案内軸の先端部に介装されて前記支持体と前記コイルとの間に設けられ前記ピックアップローラに押圧された前記捌き板を反対方向に付勢する付勢手段と、前記コイルが内部に摺動可能に挿入され先端部が非磁性体で後端部が磁性体からなる貫通した固定円筒と、前記固定円筒が内部に摺動可能に挿入され後端部に前記固定円筒の抜け止めが設けられた貫通した筒形の筐体と、
を具備することを特徴とする請求項１記載の給紙装置。
【請求項７】
二次給紙手段が用紙の搬送を開始してから所定時間経過した後に前記固定手段が前記捌き板の前記各動作を固定することを特徴とする請求項１記載の給紙装置。
【発明の詳細な説明】
【技術分野】
【０００１】
本発明は、印刷装置や複写装置等の各種画像形成装置等において利用可能であり、シート状の画像形成媒体である印刷用紙を供給するための給紙装置に係り、特に搬送時に印刷用紙と搬送機構との摩擦に起因する騒音が発生しないようにした給紙装置に関するものである。
【背景技術】
【０００２】
図１２は、下記特許文献１に記載された給紙装置を示す図である。この給紙装置は、昇降自在の給紙台１上に積載された用紙２の上面に接触して回動するスクレーパローラ３と、スクレーパローラ３の下流側に設けられて上下動及び用紙２の搬送方向を中心とした揺動（イコライズ動作）が可能とされた捌き板４（通常、ゴム板等の高摩擦部材からなる）と、この捌き板４と略当接する上方位置に回動可能に配置されて前記捌き板４との間で用紙２を捌いて搬送するピックアップローラ５とを有する一次給紙手段６を備えている。この一次給紙手段６により、給紙台１上に積載された用紙２からスクレーパローラ３で複数枚を取り出して搬送し、ピックアップローラ５と捌き板４により、そのうち一枚だけを捌いてさらに下流に搬送することができる。この一次給紙時において、前記捌き板４は、送られる用紙２の厚さや経年変化するピックアップローラ５の径に対応して上下動し、また用紙２を斜行しないようにピックアップローラ５との間で一定の状態で挟持できるようにイコライズ動作をすることができるので、用紙２を確実に捌いて後述する二次給紙手段７に送ることができる。
【０００３】
そして、前記一次給紙手段６の下流側には、一対の二次給紙ローラ８、９からなる二次給紙手段７が設けられており、一次給紙手段６から送られてきた用紙２をさらに下流側の画像形成手段等に搬送することができる。この二次給紙手段７で用紙２をさらに下流に搬送する際には、二次給紙手段７で送られる用紙２の後端側は一次給紙手段６のピックアップローラ５と捌き板４の間を通過する。
【０００４】
前述したような給紙装置の構成において、用紙２が二次給紙手段６で送られる際には、前述したように二次給紙手段６で送られる用紙２の後端側はピックアップローラ５と捌き板４の間を通過するので、ピックアップローラ５と駆動源を連動連結しているクラッチを切ってピックアップローラ５の回転をフリーとし、用紙２の搬送を専ら二次給紙ローラ８、９のみによって行わせるようにしている。
【０００５】
ところが、上記従来の給紙装置の構成においては、二次給紙中の用紙２乃至捌き板４が細かく振動するような騒音（「ビビリ」（＝"chattering"）に起因する騒音）を発生させることがあった。この騒音が発生する主たる原因は、二次給紙中の用紙２と捌き板４の間に生じる摩擦力と考えられるが、捌き板４の揺動機構（イコライズ機構）や上下動機構等のような捌き板４の可動部分には機構上のあそびが存在するため、これによって前記摩擦による振動が増幅され、大きな音となってしまうものと考えられる。
【０００６】
そこで、このような騒音の発生を防止するため、下記特許文献２には、分離パッド（前記捌き板４に相当）と接する給送ローラ（前記ピックアップローラに相当）の両側に防振材を設置することにより、異音の発生を防止する技術が開示されている。また、下記特許文献３には、捌き板の可動部分にゴムブッシュを置いて制振を行うことにより、異音の発生を防止する技術が開示されている。
【特許文献１】特開２００１−１９１８６号公報
【特許文献２】特開２００６−６２８７３号公報
【特許文献３】特開２０００−３２７１４８号公報
【発明の開示】
【発明が解決しようとする課題】
【０００７】
しかしながら、給紙装置において用紙２と捌き板４との間で摩擦により生じる振動音を防止するため、前述したような一次給紙手段の付近に制振乃至防振材を設ける構造を採用すると、捌き板のイコライズ動作が渋くなる又は制振材の取り付け方によって捌き板の当てつけ力（用紙に対する給紙圧）が変動してしまう等、一次給紙に好ましくない影響が出てしまい、その結果として用紙の空送や重送が発生することがあった。
【０００８】
そこで本発明は、簡単な構造により、一次給紙に影響を与えることなく、捌き板における振動音の発生を防止できる給紙装置を提供することを目的とする。
【課題を解決するための手段】
【０００９】
請求項１に記載された給紙装置は、積載された用紙の上面に接触して回動することにより用紙を下流に搬送するスクレーパローラと、前記スクレーパローラの下流側に設けられて上下方向及び用紙の搬送方向を中心とした揺動方向に移動可能とされた捌き板と、前記捌き板と略当接する上方位置に回動可能に配置されて前記捌き板との間で用紙を捌いて搬送するピックアップローラとを有する一次給紙手段と、前記一次給紙手段の下流側に設けられて用紙をさらに下流側に搬送する二次給紙手段とを有する給紙装置において、
用紙が、前記二次給紙手段により搬送されて前記捌き板と前記ピックアップローラの間を通過する際に、前記捌き板の上下方向及び揺動方向の各動作を固定する固定手段を備えたことを特徴としている。
【００１０】
請求項２に記載された給紙装置は、請求項１記載の給紙装置において、
前記捌き板に取り付けられた磁性体からなる案内軸と、前記案内軸が挿入される案内孔を備えた本体と、前記案内孔から突出した前記案内軸に介装されて前記捌き板と前記本体との間に設けられ前記ピックアップローラに押圧された前記捌き板を反対方向に付勢する付勢手段とを有し、前記案内軸が前記案内孔に出没することで前記捌き板が上下方向に移動するように構成されており、
さらに、前記案内軸の外周面と前記案内孔の内周面の少なくとも一方の一部分に設けられ、他方と接触して係合することにより前記案内軸の移動を制限する高摩擦部材と、
前記本体の前記案内孔の内周面に設けられ、前記高摩擦部材によって前記案内軸の移動が制限されないように前記案内軸を前記案内孔内で所定方向に押す押圧手段と、
前記本体の前記案内孔の内周面に設けられ、通電により前記案内軸を磁着して前記案内軸の外周面と前記案内孔の内周面を前記高摩擦部材により固定することにより前記案内軸の移動を制限するコイルと、
を具備することを特徴としている。
【００１１】
請求項３に記載された給紙装置は、請求項１記載の給紙装置において、
前記捌き板に取り付けられた磁性体からなる案内軸と、前記案内軸が挿入される案内孔を備えた本体と、前記案内孔から突出した前記案内軸に介装されて前記捌き板と前記本体との間に設けられ前記ピックアップローラに押圧された前記捌き板を反対方向に付勢する付勢手段とを有し、前記案内軸が前記案内孔に出没することで前記捌き板が上下方向に移動するように構成されており、
さらに、前記本体の前記案内孔の内周面に設けられたコイルと、
前記コイルの内周面に設けられ、前記コイルへの通電により可逆的に変形して内方へ突出することにより前記案内軸の外周面に係合して前記案内軸の移動を制限するアクチュエーターと、
を具備することを特徴としている。
【００１２】
請求項４に記載された給紙装置は、請求項１記載の給紙装置において、
揺動軸を介して揺動可能に支持された支持体の上面側に前記捌き板が取り付けられ、前記捌き板が前記支持体とともに前記揺動軸を中心として左右方向に揺動するように構成されており、
さらに、前記支持体に対面して配置され移動により前記支持体に押圧される固定部材と、対面する前記支持体及び前記固定部材の少なくとも一方に設けられた高摩擦部材と、前記固定部材の近傍に設けられ操作時には前記固定部材を前記支持体に押圧して前記固定部材と前記支持体を前記高摩擦部材により係合して前記支持体の前記揺動軸に関する揺動を固定する固定操作部材と、
を具備することを特徴としている。
【００１３】
請求項５に記載された給紙装置は、請求項１記載の給紙装置において、
前記捌き板が上面側に取り付けられた支持体と、前記支持体が先端側に揺動可能に取り付けられた磁性体からなる案内軸と、前記案内軸が挿入される案内孔を備えた本体と、前記案内孔から突出した前記案内軸に介装されて前記支持体と前記本体との間に設けられ前記ピックアップローラに押圧された前記捌き板を反対方向に付勢する付勢手段と、前記案内軸の外周面及び前記案内孔の内周面の少なくとも一方に設けられた上下動固定用高摩擦部材と、前記本体の前記案内孔の内周面に設けられ前記上下動固定用高摩擦部材によって前記案内軸の移動が制限されないように前記案内軸を前記案内孔内で所定方向に押す押圧手段と、前記支持体と対面するように前記本体に取り付けられたロック部材と、対面する前記ロック部材と前記支持体の少なくとも一方に設けられた揺動固定用高摩擦部材と、前記本体の前記案内孔の内周面に設けられ通電により前記案内軸を固定位置に磁着させることで前記上下動固定用高摩擦部材により前記案内軸の軸方向の移動を制限するとともに、前記揺動固定用高摩擦部材により前記支持体の揺動を制限するコイルと、
を具備することを特徴としている。
【００１４】
請求項６に記載された給紙装置は、請求項１記載の給紙装置において、
前記捌き板が上面側に取り付けられた支持体と、前記支持体が先端側に揺動可能に取り付けられ中央部が磁性体で先端部及び後端部が非磁性体からなる案内軸と、前記案内軸が挿入されるコイルと、前記コイルから突出した前記案内軸の先端部に介装されて前記支持体と前記コイルとの間に設けられ前記ピックアップローラに押圧された前記捌き板を反対方向に付勢する付勢手段と、前記コイルが内部に摺動可能に挿入され先端部が非磁性体で後端部が磁性体からなる貫通した固定円筒と、前記固定円筒が内部に摺動可能に挿入され後端部に前記固定円筒の抜け止めが設けられた貫通した筒形の筐体と、
を具備することを特徴としている。
【００１５】
請求項７に記載された給紙装置は、請求項１記載の給紙装置において、
二次給紙手段が用紙の搬送を開始してから所定時間経過した後に前記固定手段が前記捌き板の前記各動作を固定することを特徴としている。
【発明の効果】
【００１６】
請求項１に記載された給紙装置によれば、用紙が二次給紙手段により搬送されて、該用紙の後端部側が一次給紙手段の捌き板とピックアップローラの間を通過する際に、捌き板の上下方向及び揺動方向の各動作が固定手段で固定され、捌き板は前記両方向についての位置の変動を許容する部品間の余裕を失う。このため、この用紙と捌き板の間に生じる摩擦力によって捌き板が振動を起こし、さらにこの振動が増幅されて大きな振動音を発生する不都合が生じることはない。
【００１７】
請求項２に記載された給紙装置によれば、コイルに通電しない状態では、本体の案内孔内にある案内軸は、押圧手段に押されて案内孔内の一方側に寄せられ、案内軸と案内孔は高摩擦部材が設けられている側においては離間した状態となる。このため、ピックアップローラと捌き板により用紙を搬送する際に捌き板が押されれば、案内軸は付勢手段の付勢力を受けつつ案内孔内に沈み込むことができるので、用紙の厚さのばらつきやピックアップローラの外径の径年変化等に対応して確実に用紙を捌く動作を行うことができる。
【００１８】
コイルに通電すると、本体の案内孔内にある案内軸は、押圧手段に抗して案内孔内の他方側に移動してコイルに磁着し、案内軸と案内孔は高摩擦部材が設けられている側において接触するので、案内軸は案内孔内で軸方向に移動できなくなる。このため、二次給紙手段が作動して用紙を搬送する際にコイルに通電すれば、当該用紙の後端部がピックアップローラと捌き板の間を通過するタイミングで捌き板には上下方向についての位置の変動を許容する部品間の余裕がなくなり、捌き板の上下方向の動作が固定される。このため、この用紙と捌き板の間に生じる摩擦力によって捌き板が振動を起こし、さらにこの振動が増幅されて大きな振動音を発生する不都合が生じることはない。
【００１９】
請求項３に記載された給紙装置によれば、コイルに通電しない状態では、アクチュエーターは内方へ突出した状態にはならないので、本体の案内孔内にある案内軸は、案内孔内で軸方向について自由に移動できる。このため、ピックアップローラと捌き板により用紙を搬送する際に捌き板が押されれば、案内軸は付勢手段の付勢力を受けつつ案内孔内に沈み込むことができるので、用紙の厚さのばらつきやピックアップローラの外径の径年変化等に対応して確実に用紙を捌く動作を行うことができる。
【００２０】
コイルに通電すると、アクチュエーターは内方へ突出した状態に変形し、このアクチュエーターと案内軸が係合するので、案内軸は案内孔内で軸方向に移動できなくなる。このため、二次給紙手段が作動して用紙を搬送する際にコイルに通電すれば、当該用紙の後端部がピックアップローラと捌き板の間を通過するタイミングで捌き板には上下方向についての位置の変動を許容する部品間の余裕がなくなり、捌き板の上下方向の動作が固定される。このため、この用紙と捌き板の間に生じる摩擦力によって捌き板が振動を起こし、さらにこの振動が増幅されて大きな振動音を発生する不都合が生じることはない。
【００２１】
請求項４に記載された給紙装置によれば、コイルに通電しない状態では、ピックアップローラと捌き板により用紙を搬送する際に捌き板に対し、径年変化等により外径が変化したピックアップローラによって中心を外れた力が加われば、捌き板及びこれが設けられた支持体は揺動軸を中心として左右方向に揺動することができるので、用紙が斜行しないようにピックアップローラとの間で一定の状態で挟持することができ、確実に用紙を捌く動作を行うことができる。
【００２２】
固定操作部材を操作すると、固定操作部材が固定部材を支持体に向けて押圧し、固定部材と支持体が高摩擦部材を介して係合するので、捌き板が設けられた支持体は揺動軸を中心として揺動することができなくなる。このため、二次給紙手段が作動して用紙を搬送する際に固定操作部材が操作されれば、当該用紙の後端部がピックアップローラと捌き板の間を通過するタイミングで捌き板には揺動方向についての位置の変動を許容する部品間の余裕がなくなり、捌き板の揺動方向の動作が固定される。このため、この用紙と捌き板の間に生じる摩擦力によって捌き板が振動を起こし、さらにこの振動が増幅されて大きな振動音を発生する不都合が生じることはない。
【００２３】
請求項５に記載された給紙装置によれば、コイルに通電しない状態では、本体の案内孔内にある案内軸は、押圧手段に押されて案内孔内の一方側に寄せられ、案内軸と案内孔は高摩擦部材が設けられた側においては離間した状態となる。このため、ピックアップローラと捌き板により用紙を搬送する際に捌き板が押されれば、案内軸は付勢手段の付勢力を受けつつ案内孔内に沈み込むことができる。また、径年変化等により外径が変化したピックアップローラによって捌き板に中心を外れた力が加われば、捌き板及びこれが設けられた支持体は揺動軸を中心として左右方向に揺動することができる。これによって、用紙を斜行させることなく、用紙の厚さのばらつきやピックアップローラの外径の径年変化等に対応してピックアップローラと捌き板の間で用紙を確実に用紙を捌くことができる。
【００２４】
コイルに通電すると、本体の案内孔内にある案内軸は、押圧手段に抗して案内孔内の他方側に移動してコイルに磁着し、案内軸と案内孔は上下動固定用高摩擦部材を介して係合し、案内軸は案内孔内で軸方向に移動できなくなる。また、コイルに通電し、上述のように案内軸がコイルに磁着すると、ロック部材と支持体は揺動固定用高摩擦部材を介して係合して両者が固定されるので、捌き板が設けられた支持体は揺動軸を中心として揺動することもできなくなる。このように、二次給紙手段が作動して用紙を搬送する際にコイルに通電すれば、当該用紙の後端部がピックアップローラと捌き板の間を通過するタイミングで捌き板には上下方向についての位置の変動を許容する部品間の余裕がなくなるとともに、捌き板には揺動方向についての位置の変動を許容する部品間の余裕もなくなり、捌き板は上下方向及び揺動方向の両運動方向についての動作が固定される。このため、この用紙と捌き板の間に生じる摩擦力によって捌き板が振動を起こし、さらにこの振動が増幅されて大きな振動音を発生する不都合は生じない。
【００２５】
請求項６に記載された給紙装置によれば、コイルに通電しない状態では、筐体内のコイルに挿入された案内軸は、付勢手段に支持体を押されて筐体外に突出している。このため、ピックアップローラと捌き板により用紙を搬送する際に捌き板が押されれば、案内軸は付勢手段の付勢力を受けつつコイル内に沈み込むことができる。また、径年変化等により外径が変化したピックアップローラによって捌き板に中心を外れた力が加われば、捌き板及びこれが設けられた支持体は揺動軸を中心として左右方向に揺動することができる。これによって、用紙を斜行させることなく、用紙の厚さのばらつきやピックアップローラの外径の径年変化等に対応してピックアップローラと捌き板の間で用紙を確実に用紙を捌くことができる。
【００２６】
コイルに通電すると、固定円筒は、コイルからは外れた位置にある磁性体の後端部が、コイルに向けて移動する先端部向きの力を受け、固定円筒の非磁性体の先端部が支持体に当接して支持体の揺動動作を固定する。これにより、支持体に固定された案内軸はコイルから抜かれる方向の力を受けるが、コイルに挿入された案内軸には、案内軸の磁性体からなる中央部分がコイルから外れないように前記固定円筒による力とは逆向きの力が作用し、互いに釣り合うので、案内軸の軸方向の移動も固定される。このように、コイルへの通電により、捌き板は上下方向及び揺動方向の両運動方向についての動作が固定されるので、用紙と捌き板の間に生じる摩擦力によって捌き板が振動を起こし、さらにこの振動が増幅されて大きな振動音を発生する不都合は生じない。
【００２７】
二次給紙手段が、用紙の斜行を補正するために用紙の給送に抵抗を与えるレジスト機能を有している場合には、この二次給紙手段の後方にある用紙にはレジストのために弛みが生じることとなるが、仮に二次給紙の開始と同時に捌き板を固定したとすると、用紙に対して捌き板が追随できなくなり、捌き板による用紙の固定態様が不十分となって、撓んだ状態にある用紙が後方に伸びて逃げてしまい、二次給紙手段におけるレジスト機能が十分に発揮されなくなることが考えられる。しかしながら、請求項７に記載された給紙装置によれば、二次給紙手段が用紙の搬送を開始してから所定時間が経過し、二次給紙手段の後方にあるレジストのための用紙の弛みが無くなったころに固定手段が捌き板の上下方向及び揺動方向の各動作を固定するので、二次給紙手段による用紙のレジストが適宜に行われて印刷手段に用紙を適正な状態で搬送することができるとともに、用紙と捌き板の間で振動音が発生することもない。
【発明を実施するための最良の形態】
【００２８】
以下、本発明を実施するために特許出願人が出願時点で最良と思う本発明の実施の形態を図１〜図１２を参照して説明する。これら実施形態の給紙装置の説明においては、ピックアップローラとともに用紙を捌く捌き板と、該捌き板の可動及び固定構造を中心として説明する。
【００２９】
１．第１実施形態（第１例、図１〜図３）
本例を含む本発明の実施形態における給紙装置は、「背景技術」の項において説明したものと基本構造を同じくする一次給紙手段と二次給紙手段を備えている（図１２に示した給紙装置を参照）。
一次給紙手段は、昇降自在の給紙台１上に積載された用紙２の上面に接触して回動するスクレーパローラ３と、スクレーパローラ３の下流側に設けられて上下動及び用紙２の搬送方向を中心とした揺動（イコライズ動作）が可能とされた捌き板４（ゴム板等の高摩擦部材からなる）と、この捌き板４と略当接する上方位置に回動可能に配置されて前記捌き板４との間で用紙を捌いて搬送するピックアップローラ５とを有しており、給紙台１上に積載された用紙２からスクレーパローラ３で複数枚を取り出して搬送し、ピックアップローラ５と捌き板４により、そのうち一枚だけを捌いてさらに下流の二次給紙手段７に搬送する。この一次給紙時において、前記捌き板４は、送られる用紙２の厚さや経年変化するピックアップローラ５の径に対応して上下動し、また用紙２を斜行しないようにピックアップローラ５との間で一定の状態で挟持できるようにイコライズ動作をすることができるので、用紙２を確実に捌いて後述する二次給紙手段７に送ることができる。
【００３０】
一次給紙手段６の下流側に設けられた二次給紙手段７は、一対の二次給紙ローラ８、９を有しており、一次給紙手段６から送られてきた用紙２が付き当てられて斜行が補正され、さらに下流側の画像形成手段等に搬送することができる。この二次給紙手段７で用紙２をさらに下流の画像形成部に搬送する際には、二次給紙手段７で送られる用紙２の後端側は一次給紙手段６のピックアップローラ５と捌き板４の間を通過していく。
【００３１】
図１に示す第１例の給紙装置の一次給紙手段１０においては、図示しないモータに連結されて回動するピックアップローラ５が、所定位置に配置された捌き板４の上面に略接している。この捌き板４は、下方が開口した略箱形の支持体１１の上面側に固定されており、支持体１１は揺動軸１２を介して磁性体からなる案内軸１３の上端に揺動可能に取り付けられている。なお、ここで支持体１１及び捌き板４の揺動とは、図１において紙面と平行な揺動軸１２について、紙面の手前側と後方側との間で往復して回動する動作を意味する。
【００３２】
そして、図２に示すように、前記案内軸１３は、本体１５の案内孔１６に挿入され、案内孔１６から突出した案内軸１３には、支持体１１と本体１５との間にコイルばね等の付勢手段２１が設けられており、これによって案内軸１３に取り付けられた支持体１１の捌き板４は上下方向に移動できるようになっている。なお、ここで捌き板４の上下方向の移動とは、案内軸１３の軸方向の移動であって、ピックアップローラ５に対して近接する方向（上方向）と離れる方向（下方向）への移動を意味する。
【００３３】
図２に示す捌き板４の可動及び固定構造において、前記本体１５は、横断面が矩形であって、案内軸１３が挿入される案内孔１６が上下に貫通している筒体である。そして案内孔１６は、断面形状が半円形の周状部１６ａと、断面形状が方形の平坦部１６ｂからなる孔であって、これに挿入されている前記案内軸１３の断面形状は略円形であり、案内孔１６の平坦部１６ｂに対応する部分は平坦な切欠き面１３ｂとされている。
【００３４】
図２に示すように、本体１５の案内孔１６の内周面には、案内孔１６乃至案内軸１３の軸方向の２箇所に案内軸１３を所定方向に押す押圧手段１７が設けられている。この押圧手段１７は、前記各箇所の案内孔１６の内面に形成された凹所の中にばね１７ａを設け、このばね１７ａの先端に押圧部材としてのボールベアリング１７ｂを設けたものであり、案内軸１３の切欠き面１３ｂにボールベアリング１７ｂを当接させ、ばね１７ａの付勢力で案内軸１３を案内孔１６の周状部１６ａ側に押圧、当接させ、案内軸１３を案内孔１６内で軸方向に移動可能に支持する機能を備えている。
【００３５】
図２に示すように、２つの押圧手段１７，１７の間において、前記案内軸１３の切欠き面１３ｂと、これに対面する前記案内孔１６の内周面１６ｂの平坦部には、第１及び第２高摩擦部材１８，１９がそれぞれ設けられている。高摩擦部材１８，１９は、ある程度の硬度を有する微細な突起が凹凸面を構成すべく所定面積にわたり設けられたものであって、例えば紙ヤスリのようなものでもよいし、微細な凹凸を対象箇所の表面に直接加工したものであってもよい。なお、本例を含む本発明の実施形態における高摩擦部材はいずれも上述のような構成である。
【００３６】
これら対向して配置された第１及び第２高摩擦部材１８，１９が互いに面で接触して係合すれば、案内孔１６と案内軸１３は面と平行な方向には移動できなくなる。但し、第１例では、前述したように案内軸１３が押圧手段１７によって案内孔１６の周状部１６ａ側に押圧されて当接している状態では、第１及び第２高摩擦部材１８，１９は離れているので、案内軸１３は案内孔１６内で軸方向に移動することができる。
【００３７】
図２に示すように、本体１５には、案内孔１６内の２つの押圧手段１７，１７の間において、案内孔１６の平坦部１６ｂに面するようにコイル（「ソレノイド」とも呼ぶ。）２０が設けられている。コイル２０に通電していないときは、上述したように案内軸１３は押圧手段１７によって案内孔１６の周状部１６ａ側に押圧されて当接し、第１及び第２高摩擦部材１７，１８は係合しないので、案内軸１３は案内孔１６内で軸方向に移動できるが、コイル２０に通電すると、図３に示すように、磁性体からなる案内軸１３は押圧手段１７の力に抗して案内孔１６の平坦部側に移動してコイル２０に磁着し、これによって第１及び第２高摩擦部材が係合するので案内軸１３は案内孔１６内で軸方向に移動できなくなり、位置が固定される。
【００３８】
以上のように構成された第１例の給紙装置によれば、コイル２０に通電しない状態では、本体１５の案内孔１６内にある案内軸１３は、押圧手段１７に押されて案内孔１６内の一方側（周状部１６ａ側）に寄せられ、案内軸１３の第１高摩擦部材１８と案内孔１６の第２高摩擦部材１９は離間した状態となる。このため、ピックアップローラ５と捌き板４により用紙を搬送する際に捌き板４が押されれば、案内軸１３は付勢手段２１の付勢力を受けつつ案内孔１６内に沈み込むことができ、捌き板４を押す力が弱まれば付勢手段２１の付勢力によって案内孔１６内から突出する方向に移動することができるので、用紙の厚さのばらつきやピックアップローラ５の外径の径年変化等に対応して確実に用紙を捌く動作を行うことができる。
【００３９】
また、ピックアップローラ５と捌き板４により用紙を搬送する際に、径年変化等により外径が変化したピックアップローラ５によって中心を外れた力が用紙を介して捌き板４に加われば、捌き板４及びこれが設けられた支持体１１は揺動軸１２を中心として左右方向に揺動することができるので、用紙が斜行しないようにピックアップローラ５との間で用紙を一定の状態に挟持することができ、確実に用紙を捌く動作を行うことができる。
【００４０】
図３に示すように、コイル２０に通電すると、本体１５の案内孔１６内にある案内軸１３は、押圧手段１７に抗して案内孔１６内の他方側（平坦部側）に移動してコイル２０に磁着し、案内軸１３の第１高摩擦部材１８と案内孔１６の第２高摩擦部材１９が係合し、案内軸１３は案内孔１６内で軸方向に移動できなくなる。このため、二次給紙手段７が作動して用紙を搬送する適当なタイミングでコイル２０に通電すれば、当該用紙の後端部がピックアップローラ５と捌き板４の間を通過する際に、捌き板４には上下方向についての位置の変動を許容する部品間の余裕がなくなり、捌き板４の上下方向の動作が固定される。このため、この用紙と捌き板４の間に生じる摩擦力によって捌き板４が振動を起こし、さらにこの振動が増幅されて大きな振動音を発生する不都合が生じることはない。
【００４１】
なお、第１例では、二次給紙時に捌き板４の揺動を固定する手段の有無についてはふれなかったが、これがないとしても、捌き板４の上下動を固定することはできるので、少なくとも二次給紙時に捌き板４の上下動方向についての振動に起因する騒音が発生することはない。また、捌き板４の上下動を固定するために、案内軸１３の切欠き面１３ｂと案内孔１６の内周面の平坦部１６ｂの両方に高摩擦部材を設けたが、いずれか一方のみに高摩擦部材を設けて接触時に相手方の部品を固定するものとしてもよい。
【００４２】
２．第２実施形態（第２例、図４）
第２例の給紙装置は、捌き板４が取り付けられた案内軸１３を固定するための構造を除き、第１例と基本構造が実質的に同じであるので、機能の面で第１例の構造に相当する部分には第１例と同一の符号を付して必要に応じて説明を省略乃至簡略化するものとする。
【００４３】
第２例の給紙装置における捌き板４の可動及び固定構造を図４を参照して説明すると、まず、捌き板４が取り付けられた支持体１１は、磁性体からなる案内軸１３の上端に図示しない揺動軸を介して揺動自在に取り付けられている。案内軸１３は、本体１５の案内孔１６に挿入されており、案内孔１６から突出した案内軸１３には、支持体１１と本体１５との間に付勢手段２１が設けられている。
【００４４】
さらに、案内軸１３の外周面の少なくとも一部には高摩擦部材２２が設けられており、これに対面する案内孔１６の内周面の一部にはコイル２０が設けられている。このコイル２０には荷電と同時に変形して突起状に隆起するアクチュエータ２３が設けられている。従って、コイル２０に通電すると、案内軸１３が磁着されて高摩擦部材２２が隆起したアクチュエータ２３に係合し、前記案内軸１３の軸方向についての移動が制限され、捌き板４は上下方向について位置が固定される。コイル２０への通電を打ち切れば、アクチュエータ２３は突起を引き込んで高摩擦部材２２との係合が解除され、案内軸１３は移動可能となる。
第２例によっても、第１例と同様の作用効果が得られる。
【００４５】
３．第３実施形態（第３例、図５及び図６）
第３例の給紙装置は、捌き板４が取り付けられた支持体１１を固定して、捌き板４が揺動しないようにする構造を除き、第１例と基本構造が実質的に同じであるので、第１例の構造に相当する部分は必要に応じて説明を省略乃至簡略化し、支持体１１付近の揺動固定構造を中心に説明する。
【００４６】
図５に示す第３例の給紙装置においては、図示しない案内軸の上端に揺動軸１２を介して支持体１１が揺動可能に支持されており、この支持体１１の上面に捌き板４が取り付けられている。前記各実施形態と同様、支持体１１は下面が開放された箱型の部材であって、揺動軸１２に直交する平行な２つの内面には、それぞれ揺動軸１２の両側の２箇所について第１高摩擦部材２４が設けられている。
【００４７】
また、支持体１１の下部の空間には、前記各内面ごとに固定部材２６が配置されている。固定部材２６は、揺動軸１２の両側の２箇所の内面にそれぞれ対面する２個の押圧部２７と、２個の押圧部２７を一体化する連結部２８とを備えた構造を有している。固定部材２６は、内面から離れた位置（離間位置、図５参照）と内面に接触した位置（接触位置、図６参照）との間で往復移動可能とされているが、外力が与えられない状態では図示しない付勢手段等により前記離間位置に配置されるように構成されている。この固定部材２６の各押圧部２７には、前記第１高摩擦部材２４に接触して係合する第２高摩擦部材２５が設けられている。
【００４８】
そして、前記支持体１１の内部には、前記一対の固定部材２６，２６の間であって、前記揺動軸１２に近接した位置に、前記一対の固定部材２６，２６を駆動するための固定操作部材２９が回動可能に設けられている。固定操作部材２９は、前記離間位置にある一対の固定部材２６，２６の間隔よりも短い短対角線寸法と、前記接触位置にある一対の固定部材２６，２６の間隔に略等しい長対角線寸法とを有する略ひし形のカム部材であって、その対角線の交点に設けられた図示しない回転軸を中心に外部から回動操作可能とされている。
【００４９】
第３例の給紙装置によれば、図５に示すように、固定操作部材２９が非操作位置にある状態では、ピックアップローラ５と捌き板４により用紙を搬送する際に捌き板４に対し、径年変化等により外径が変化したピックアップローラ５によって中心を外れた力が加われば、捌き板４及びこれが設けられた支持体１１は揺動軸１２を中心として左右方向に揺動することができるので、用紙が斜行しないようにピックアップローラ５との間で一定の状態で挟持することができ、確実に用紙を捌く動作を行うことができる。
【００５０】
固定操作部材２９を、図５に示す非操作位置から図６に示す操作位置に９０度回転させると、固定操作部材２９の長対角線の両端が一対の固定部材２６，２６を外側に向けて押し出し、各固定部材２６を支持体１１の各内面に向けて押し付ける。これによって、固定部材２６の第２高摩擦部材２５と支持体１１の内面の第１高摩擦部材２４とが揺動軸１２の両側において同様の条件で係合するので、捌き板４が設けられた支持体１１は揺動軸１２を中心として揺動することができなくなり、捌き板４は水平な状態に固定される。
【００５１】
このため、二次給紙手段が作動して用紙を搬送する際に固定操作部材２９が回動されれば、当該用紙の後端部がピックアップローラ５と捌き板４の間を通過するタイミングで捌き板４には揺動方向についての位置の変動を許容する部品間の余裕がなくなり、捌き板４の揺動方向の動作が固定される。このため、この用紙と捌き板４の間に生じる摩擦力によって捌き板４が振動を起こし、さらにこの振動が増幅されて大きな振動音を発生する不都合が生じることはない。
【００５２】
なお、第３例においては、固定操作部材２９の回動操作は必要に応じて適当なタイミングで行うものとし、固定操作部材２９を回動操作する機構については従来公知の機構を採用することができるが、第１例と同様のコイル２０を設けて案内軸１３の直動を固定する機構を設けている場合には、該コイル２０によるロック動作と連動させる機構としてもよい。
【００５３】
４．第４実施形態（第４例、図７及び図８）
第４例の給紙装置は、捌き板４が取り付けられた支持体１１を揺動方向について固定し、捌き板４が揺動しないようにするための構造を除き、第１例と基本構造が実質的に同じであるので、第１例の構造に相当する部分は必要に応じて説明を省略乃至簡略化し、捌き板４を揺動しないように固定する構造を中心に説明する。
【００５４】
図７及び図８において、捌き板４が上面に取り付けられた支持体１１は、案内軸１３の上端に図示しない揺動軸を介して揺動可能に取り付けられている。案内軸１３が挿入されている案内孔１６を備えた本体１５と、案内軸１３に介装された付勢手段２１と、案内軸１３の外周面の切欠き面１３ｂ及び案内孔１６の内周面の平坦部１６ｂにそれぞれ設けられた第１及び第２高摩擦部材としての上下動固定用高摩擦部材１８，１９と、案内孔１６の内周面に設けられて２つの上下動固定用高摩擦部材１８，１９が係合しないように案内軸１３を案内孔１６内で所定方向に押す押圧手段１７と、押圧手段１７に抗して案内軸１３を磁着するコイル２０の構成は第１例と同じである。
【００５５】
第４例では、固定側の部材である前記本体１５にロック部材３０が取り付けられており、このロック部材３０が、揺動する前記支持体１１に相対的に接近して接触できるように若干の間隔をおいて対面している。ロック部材３０は、本体１５の案内孔１６の内面に板状の取り付け基部３１が固定されており、案内孔１６の外に突出した取り付け基部３１の先端に矩形ブロック状の固定部３２を有している。この固定部３２は、支持体１１の下方の空間内に入り込んでおり、図示しない揺動軸に直交する支持体１１の２つの内面のうち、案内軸１３に関してコイル２０とは反対の側にある内面に対し、揺動軸について対称な配置で対面している。又は、詳細は図示しないが、固定部３２が２つに分かれて設けられており、各固定部３２が、案内軸１３に関してコイル２０と反対側にある内面に対して、揺動軸の両側の２箇所において対面しているものとしてもよい。
【００５６】
そしてロック部材３０の固定部３２の支持体１１に対面する側と、固定部３２に対面する支持体１１の内面には、揺動固定用高摩擦部材３３，３４がそれぞれ設けられている。固定部３２と支持体１１を固定できるのであれば、固定部３２又は支持体１１のいずれか一方の部材のみに高摩擦部材を設けるものとしてもよい。
【００５７】
第４例の給紙装置によれば、図７に示すコイル２０に通電しない状態では、本体１５の案内孔１６内にある案内軸１３は、押圧手段１７に押されて案内孔１６内の一方側（ロック部材３０が設けられている側）に寄せられ、案内軸１３と案内孔１６は上下動固定用高摩擦部材１８，１９が設けられた側においては離間した状態となり、揺動固定用高摩擦部材３３，３４が設けられたロック部材３０の固定部３２と支持体１１も離間した状態となる。このため、ピックアップローラ５と捌き板４により用紙を搬送する際に捌き板４が押されれば、案内軸１３は付勢手段２１の付勢力を受けつつ案内孔１６内に沈み込むことができる。また、径年変化等により外径が変化したピックアップローラ５によって捌き板４に中心を外れた力が加われば、捌き板４及びこれが設けられた支持体１１は図示しない揺動軸を中心として左右方向に揺動することができる。これによって、用紙を斜行させることなく、用紙の厚さのばらつきやピックアップローラ５の外径の径年変化等に対応してピックアップローラ５と捌き板４の間で用紙を確実に用紙を捌くことができる。
【００５８】
図８に示すようにコイル２０に通電すると、本体１５の案内孔１６内にある案内軸１３は、押圧手段１７に抗して案内孔１６内の他方側に移動してコイル２０に磁着し、案内軸１３と案内孔１６は上下動固定用高摩擦部材１８，１９を介して係合し、案内軸１３は案内孔１６内で軸方向に移動できなくなる。また、コイル２０に通電し、上述のように案内軸１３がコイル２０に磁着すると、ロック部材３０の固定部３２と支持体１１の内面は揺動固定用高摩擦部材３３，３４を介して係合し、これによって支持体１１がロック部材３０に固定されるので、捌き板４が設けられた支持体１１は図示しない揺動軸を中心として揺動することもできなくなる。このように、二次給紙手段が作動して用紙を搬送する際にコイル２０に通電すれば、当該用紙の後端部がピックアップローラ５と捌き板４の間を通過するタイミングで捌き板４には上下方向についての位置の変動を許容する部品間の余裕がなくなるとともに、捌き板４には揺動方向についての位置の変動を許容する部品間の余裕もなくなり、捌き板４は上下方向及び揺動方向の両運動方向についての動作が固定される。このため、この用紙と捌き板４の間に生じる摩擦力によって捌き板４が振動を起こし、さらにこの振動が増幅されて大きな振動音を発生する不都合は生じない。
【００５９】
５．第５実施形態（第５例、図９及び図１０）
第５例の給紙装置における捌き板４の可動及び固定構造を図９及び図１０を参照して説明する。第５例は捌き板４の可動及び固定構造の本体部分として円筒形の本体３５を有しており、その内部の所定位置には本体３５から抜け落ちないようにコイル２０が設けられている。捌き板４は支持体１１の上面側に取り付けられており、この支持体１１は案内軸３６の先端に図示しない揺動軸を介して揺動可能に取り付けられている。案内軸３６は、中央部３６ａが磁性体で構成され、先端部３６ｂと後端部３６ｃが非磁性体から構成されている。そして前記案内軸３６は、前記本体３５内のコイル２０に移動自在に挿通されており、コイル２０から突出した案内軸３６の先端部３６ｂにおいて、コイル２０と支持体１１の間には付勢手段２１が介装されていて、図９に示すようにコイル２０に通電せず、捌き板４に外力が加わらない時には、案内軸３６の中央部３６ａ（磁性体からなる部分）がコイル２０内にあり、先端部３６ｂと後端部３６ｃがコイル２０の外に突出するように構成されている。コイル２０と本体３５の間には、コイル２０の外径よりもやや大きい内径を有する円筒部材である固定円筒３７が移動可能に設けられており、該固定円筒３７の孔内にコイル２０が挿入された状態にある。固定円筒３７は、コイル２０の軸方向長さに相当する寸法の先端部３７ｂが非磁性体で構成され、後端部３７ａが磁性体で構成されており、図９に示すようにコイル２０に通電しない状態では、固定円筒３７の先端部３７ｂがコイル２０の外周面に対面し、後端部３７ａがコイル２０から外れた位置に来るように構成されている。なお、本体３５の後端には孔の内縁にフランジ３５ａが突設されており、固定円筒３７が後方に抜け落ちないようになっている。
【００６０】
第５例の給紙装置によれば、図９に示すコイル２０に通電しない状態では、本体３５内のコイル２０に挿入された案内軸３６は、付勢手段２１に支持体１１を支えられて本体３５外に突出している。このため、ピックアップローラ５と捌き板４により用紙を搬送する際に捌き板４が押されれば、案内軸３６は付勢手段２１の付勢力を受けつつコイル２０内に沈み込むことができる。また、径年変化等により外径が変化したピックアップローラ５によって捌き板４に中心を外れた力が加われば、捌き板４及びこれが設けられた支持体１１は図示しない揺動軸を中心として左右方向に揺動することができる。これによって、用紙を斜行させることなく、用紙の厚さのばらつきやピックアップローラ５の外径の径年変化等に対応してピックアップローラ５と捌き板４の間で用紙を確実に用紙を捌くことができる。
【００６１】
図１０に示すように、コイル２０に通電すると、各部材の磁性体からなる部分（案内軸３６の中央部３６ａ，固定円筒３７の先端部３７ａ）はコイル２０の軸方向の中心位置に来るような力を受ける。すなわち、固定円筒３７は、コイル２０からは外れた位置にある磁性体の後端部３７ａが、コイル２０に向けて移動する先端部向きの力（矢印Ｆ１）を受け、固定円筒３７の非磁性体の先端部３６ｂが支持体１１の下面に当接して支持体１１の揺動動作を固定する。これにより、支持体１１に固定された案内軸３６はコイル２０から抜かれる方向の力を受けるが、コイル２０に挿入された案内軸３６には、案内軸３６の磁性体からなる中央部分３６ａがコイル２０から外れないように前記固定円筒３７による力とは逆向きの力（矢印Ｆ２）が作用し、固定円筒３７に加わる力と案内軸３６に加わる力とが互いに釣り合うので、案内軸３６の軸方向の移動も固定される。結果として、コイル２０への通電により、捌き板４は上下方向及び揺動方向の両運動方向についての動作が固定されるので、用紙と捌き板４の間に生じる摩擦力によって捌き板４が振動を起こし、さらにこの振動が増幅されて大きな振動音を発生する不都合は生じない。
【００６２】
なお、第５例においては、コイル２０への通電による案内軸３６の移動とは反対方向に移動する固定円筒３７で案内軸３６の上下方向の動きを固定していたが、固定円筒３７がなくても、案内軸３６の上下方向の動きを固定することはできる。すなわち、図９に示す状態において構成から固定円筒３７を省いても、コイル２０に通電すれば案内軸３６はコイル２０によって軸方向の動きが同位置で固定されるので、捌き板４が上下方向に移動することはない。但し、捌き板４の揺動方向の動きを固定することはできない。
【００６３】
６．第６実施形態（第６例、図１１）
以上説明した各実施形態においては、用紙が二次給紙手段により搬送されて、その後端側が捌き板４とピックアップローラ５の間を通過する際に、捌き板４の上下方向及び揺動方向の少なくともいずれか一方の動作を固定手段で固定するものであったが、用紙の搬送に対する固定タイミングについては特に限定しなかった。
【００６４】
しかしながら、実際には、捌き板４の動作を固定するのは、二次給紙が開始されてから所定時間経過した後からが好ましい。二次給紙機構は、ここに送られた用紙を二次給紙ローラに付き当てて用紙の斜行を修正するレジスト機能を有している。従って、二次給紙機構に付き当てられて給送を待って静止している用紙は、その後方部分に弛みが生じており、用紙に対応して上下動及び揺動可能な状態にある捌き板４が用紙の後端を押さえている状態にある。ここで、二次給紙と同時に一時給紙機構において捌き板４をロックすると、捌き板４が移動できなくなるために、捌き板４による用紙の押さえが不十分となり、弛んだ用紙が、その復元力により捌き板とピックアップローラの間を抜けて後方に戻ってしまい、そのために二次給紙機構におけるレジスト機能が不十分になってしまう可能性がある。
【００６５】
そこで、第６例では、捌き板４での異音の発生を防止するために捌き板の動作固定を行うについて、二次給紙機構での用紙の弛みを後方に逃がしてレジスト機能に支障を生じることがないようにするため、固定手段が捌き板４の上下方向又は揺動方向の少なくともいずれか一方の動作を固定するのを、二次給紙手段が用紙の搬送を開始してから所定時間が経過して形成された弛みが無くなる直前としたものである。すなわち、固定手段による捌き板４の好ましい固定タイミングは、形成された弛みがなくなる瞬間であり、一具体例を挙げれば一般的な弛み量６ｍｍで二次給紙ローラの速度が５００ｍｍ／ｓの場合には二次給紙開始後１２ｍｓｅｃとなる。しかしながら、用紙の種類やソレノイドの反応速度、その他種々の誤差を考慮すると、実際にはこの値以下（１２ｍｓｅｃよりも小さい経過時間）のタイミングに設定し、用紙に弛みが残っている状態で捌き板４を固定する動作を行うことになる。
【００６６】
図１１は、一次給紙手段の一次給紙モータと、二次給紙手段の二次給紙モータと、捌き板４の動作を固定するための各例におけるコイル２０（サバキソレノイド）の駆動タイミングチャートである。一次給紙モータが駆動され、これによって捌きローラとピックアップローラ５が連動し、捌かれた一枚の用紙が二次給紙手段に送り込まれると、一次給紙ローラの停止と同時に二次給紙手段の二次給紙モータが作動して用紙をさらに先方に送り始める。この時、コイル２０（サバキソレノイド）はまだ駆動されておらず、捌き板４は用紙に追従して動くことができるので、二次給紙手段によって用紙が搬送され始めた当初には、用紙の後端側は、用紙に追従して自由に動ける捌き板４とピックアップローラ５によって保持された状態を維持し、弛みが保持されている。従って、二次給紙手段ではレジスト機能が発揮されて用紙の斜行が補正され、用紙は正規の搬送方向に送られていく。そして、前述のように設定された所定時間が経過した後、コイル２０（サバキソレノイド）が駆動されて捌き板４の動作が固定されると、用紙が捌き板４とピックアップローラの間を抜ける際に、用紙と捌き板との間に生じる摩擦力によって捌き板４に振動が起きることはなく、大きな振動音を発生する不都合は生じない。そして、二次給紙モータの停止と同時にコイル２０（サバキソレノイド）への通電も停止される。
【００６７】
このように、第６例によれば、二次給紙手段が用紙の搬送を開始してから、二次給紙手段による用紙の正規の搬送が確立する所定駆動時間が経過した後に、捌き板の動作を固定して振動を防止したので、二次給紙手段による正規の用紙搬送機能と、用紙後端が捌き板を振動させて生じる騒音の防止を、同時に実現することができる。
【００６８】
なお、以上説明した各実施形態の給紙装置は、孔版印刷装置、インクジェット装置、その他の画像形成原理による画像形成装置における用紙供給手段として広く使用することができる。また、以上説明した各実施形態の給紙装置は、互いに矛盾しない限度において、各一部分同士を組み合わせて他の構成の給紙装置として再構成することもできる。
【図面の簡単な説明】
【００６９】
【図１】図１は、第１例の給紙装置の一次給紙機構の側面図である。
【図２】図２（ａ）は、第１例における捌き板の可動及び固定機構の縦断面図（コイルＯＦＦ時）、図２（ｂ）は、図２（ａ）のＢ−Ｂ切断線における断面図である。
【図３】図３は、第１例の一次給紙機構における捌き板の可動及び固定機構の縦断面図（コイルＯＮ時）。
【図４】図４（ａ）は、第２例における捌き板の可動及び固定機構の縦断面図（コイルＯＦＦ時）、図４（ｂ）は、図４（ａ）中の（ａ）部で示したコイルＯＮ時の高摩擦抵抗部材の拡大図である。
【図５】図５（ａ）は、第３例における捌き板の可動及び固定機構の下面図（固定機構非作動時）、図５（ｂ）は、図５（ａ）のＣ−Ｃ切断線における断面図、図５（ｃ）は、図５（ａ）の側面図である。
【図６】図６（ａ）は、第３例における捌き板の可動及び固定機構の下面図（固定機構作動時）、図６（ｂ）は、図６（ａ）のＤ−Ｄ切断線における断面図である。
【図７】図７は、第４例における捌き板の可動及び固定機構の縦断面図（コイルＯＦＦ時）である。
【図８】図８は、第４例における捌き板の可動及び固定機構の縦断面図（コイルＯＮ時）である。
【図９】図９は、第５例における捌き板の可動及び固定機構の縦断面図（コイルＯＦＦ時）である。
【図１０】図９は、第５例における捌き板の可動及び固定機構の縦断面図（コイルＯＮ時）である。
【図１１】図１１は、第６例における一次給紙モータと二次給紙モータとコイル（サバキソレノイド）の駆動タイミングを示す図である。
【図１２】図１２は、一次給紙機構と二次給紙機構を有する給紙装置の構造図である。
【符号の説明】
【００７０】
２…用紙
３…スクレーパローラ
４…捌き板
５…ピックアップローラ
６…一次給紙手段
７…二次給紙手段
８，９…二次給紙ローラ
１１…支持体
１２…揺動軸
１３，３６…案内軸
１５，３５…本体                                                                １６…案内孔
１７…押圧手段
１８…上下動固定用高摩擦部材としての第１高摩擦部材
１９…上下動固定用高摩擦部材としての第２高摩擦部材
２０…コイル（ソレノイド）
２１…付勢手段
２２…高摩擦部材
２３…アクチュエータ
２４…第１高摩擦部材
２５…第２高摩擦部材
２６…固定部材
２９…固定操作部材
３０…ロック部材
３３，３４…揺動固定用高摩擦部材
３７…固定円筒
【図１】
2008169023.tif 000003
【図２】
2008169023.tif 000004
【図３】
2008169023.tif 000005
【図４】
2008169023.tif 000006
【図５】
2008169023.tif 000007
【図６】
2008169023.tif 000008
【図７】
2008169023.tif 000009
【図８】
2008169023.tif 000010
【図９】
2008169023.tif 000011
【図１０】
2008169023.tif 000012
【図１１】
2008169023.tif 000013
【図１２】
2008169023.tif 000014